(57)【要約】【課題】複写機等によって複製できることで、真正であることを判定するセキュリティ媒体の提供。【解決手段】  被写体と、前記被写体上に設けられ、少なくとも絵柄及び文字のいずれかが形成された印刷層と、少なくとも絵柄及び文字のいずれかが再生されるホログラム層と、を有するセキュリティ媒体において、前記印刷層は複写機等で複写した場合に当該複写機等の撮影部が焦点を合わせることができる印刷層として配置され、かつ、前記焦点に対する前記撮影部の被写界深度内に前記ホログラム層が配置されており、当該複写機等による複写により、前記印刷層からの複製と、前記ホログラム層からの複製の両方が複製されるようにした。【選択図】  図１
2018165058.tif 000002
【特許請求の範囲】
【請求項１】
被写体と、前記被写体上に設けられ、少なくとも絵柄及び文字のいずれかが形成された印刷層と、少なくとも絵柄及び文字のいずれかが再生されるホログラム層と、を有するセキュリティ媒体において、
前記印刷層は複写機等で複写した場合に当該複写機等の撮影部が焦点を合わせることができる印刷層として配置され、かつ、前記焦点に対する前記撮影部の被写界深度内に前記ホログラム層が配置されており、
当該複写機等による複写により、前記印刷層からの複製と、前記ホログラム層からの複製
の両方が複製される
ことを特徴とするセキュリティ媒体。
【請求項２】
前記ホログラム層と前記印刷層の間に透明なカバー層を有する
ことを特徴とする請求項２に記載のセキュリティ媒体。
【請求項３】
前記ホログラム層と前記印刷層の間の距離は、５０μｍ以下である
ことを特徴とする請求項１または請求項２に記載のセキュリティ媒体。
【請求項４】
前記印刷層は、絵柄の面積が全体の１５％以上となる連続地紋である
ことを特徴とする請求項１乃至請求項３のいずれか１項に記載のセキュリティ媒体。
【請求項５】
前記印刷層は、少なくとも向かい合う辺のどちらか一つの端縁に形成される
ことを特徴とする請求項１乃至請求項４のいずれか１項に記載のセキュリティ媒体。
【発明の詳細な説明】
【技術分野】
【０００１】
本発明は、物品等に貼付又は転写することで、物品の偽造を防止するセキュリティ媒体に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、ホログラムを用いて、コピー機等による複製を防止する技術が開示されている（特許文献１）。
【０００３】
図９は、エンボスホログラム単体をコピーした場合を示す図である。
【０００４】
エンボスホログラム１０１を単体でコピーした場合、エンボスホログラム１０１は単体では無色透明であるため、着色印刷物と比較して撮像部３０の焦点をあわせることが困難である。したがって、コピーされた複製品１１１は、複製性が低くなる。
【０００５】
図１０は、ホログラムのコピーを防止する構造を示す図である。
【０００６】
ホログラム層１０２のコピーを防止するためには、印刷層１０３に撮像部３０の焦点が合った際に、ホログラム層１０２が撮像部３０の被写界深度外になるようにすることが好ましい。また、ホログラム層１０２が撮像部３０の被写界深度外になることで、撮像部３０の焦点はホログラム層１０２からずれる。したがって、コピーされた複製品１１２は、印刷層１０３のみを複製したものとなり、ホログラム層２０は複製されない。
【先行技術文献】
【特許文献】
【０００７】
【特許文献１】特開２００８−１４２９１４号公報
【発明の概要】
【発明が解決しようとする課題】
【０００８】
しかしながら、特許文献１に開示されたようにコピー機等による複製を防止するのではなく、カードの真贋を記録に残すため、あえてコピー機等で複製を可能とすることを望む場合がある。例えば、任意の会の入会時に求められる身分証明書等のコピーを保管する場合、身分証明書に存在する絵柄がある程度コピー機等で複製されることで、その身分証明書が真正であることが判別できる場合がある。
【０００９】
本発明は、複写機等によって複製できることで、真正であることを判定するホログラム構造体及びセキュリティ媒体を提供する。
【課題を解決するための手段】
【００１０】
本発明は、以下の各態様により上記の課題を解決するものである。
【００１１】
本発明にかかるセキュリティ媒体は、被写体と、前記被写体上に設けられ、少なくとも絵柄及び文字のいずれかが形成された印刷層と、少なくとも絵柄及び文字のいずれかが再生されるホログラム層と、を有するセキュリティ媒体において、前記印刷層は複写機等で複写した場合に当該複写機等の撮影部が焦点を合わせることができる印刷層として配置され、かつ、前記焦点に対する前記撮影部の被写界深度内に前記ホログラム層が配置されており、当該複写機等による複写により、前記印刷層からの複製と、前記ホログラム層からの複製の両方が複製されることを特徴とする。
【００１２】
本発明にかかるセキュリティ媒体は、前記ホログラム層と前記印刷層の間に透明なカバー層を有するものとすることができる。
【００１３】
本発明にかかるセキュリティ媒体は、前記ホログラム層と前記印刷層の間の距離は、
５０μｍ以下とすることができる。
【００１４】
本発明にかかるセキュリティ媒体は、前記印刷層は、絵柄の面積が全体の１５％以上となる連続地紋とすることができる。
【００１５】
本発明にかかるセキュリティ媒体は、前記印刷層は、少なくとも向かい合う辺のどちらか一つの端縁に形成されるものとすることができる。
【００１６】
本発明にかかるセキュリティ媒体は、前記ホログラム層と前記印刷層は隣接して形成されるホログラム構造体であって、前記ホログラム構造体を接着する被着体を備えたものとすることができる。
【発明の効果】
【００１７】
本発明によれば、複写機等によって複製できることで、真正であることを判定することのできるセキュリティ媒体を提供することが可能となる。
【図面の簡単な説明】
【００１８】
【図１】本実施形態のホログラム構造体の原理を示す図である。
【図２】本実施形態のホログラム層に用いるホログラム転写箔の一例を示す図である。
【図３】第１実施形態のホログラム構造体の一例を示す図である。
【図４】第２実施形態のホログラム構造体の一例を示す図である。
【図５】第３実施形態のホログラム構造体の一例を示す図である。
【図６】第４実施形態のホログラム構造体の一例を示す図である。
【図７】本実施形態のホログラム構造体の印刷層の一例を示す。
【図８】本実施形態のホログラム構造体の印刷層の他の例を示す。
【図９】エンボスホログラム単体をコピーした場合を示す図である。
【図１０】ホログラムのコピーを防止する構造を示す図である。
【発明を実施するための形態】
【００１９】
以下、図面を参照にして本発明にかかるホログラム構造体について説明する。
【００２０】
図１は、本実施形態のホログラム構造体１の原理を示す図である。
【００２１】
本実施形態では、ホログラム構造体１は、カード等の被着体１１に接着され、セキュリティ媒体１０を構成する。ホログラム構造体１は、絵柄及び文字等が形成された印刷層３に撮像部３０の焦点が合った際に、ホログラム層２が撮像部３０の被写界深度内になるように、ホログラム層２と印刷層３が近接して形成される。このように、撮像部３０の焦点が印刷層３にあうと、撮像部３０の被写界深度内にホログラム層２が配置されているので、ホログラム層２と印刷層３の両方が複製された複製品１２を作製することが可能となる。
【００２２】
一般に複写機に適用される撮像部３０の被写界深度は、５０μｍより大きく設定されているものが多い。
したがって、本実施形態では、ホログラム層２と印刷層３の間の距離を５０μｍ以下とすることが好ましい。
【００２３】
図２は、本実施形態のホログラム層２に用いるホログラム転写箔２０の一例を示す図である。
【００２４】
本実施形態のホログラム層２に用いるホログラム転写箔２０は、基材フィルム２１に、剥離層２２、保護層２３、及びホログラム形成層２４を、それぞれ順に塗布及び乾燥させて形成し、ホログラム効果層２５を蒸着した後、接着層２６を塗布及び乾燥させて形成する。
【００２５】
基材フィルム２１は、通常厚み約１２〜１００μｍ程度の透明または不透明のポリエチレンテレフタレートフィルム、またはポリエチレンナフタレートフィルムである。剥離層（離型層）２２は、必要に応じて適当な離型剤を含むアクリル系樹脂などから厚み約０．５〜４μｍ程度に形成する。保護層（プライマー層）２３はポリエステル樹脂やアクリル樹脂などの溶液から厚み約０．２〜１．０μｍ程度に形成する。ホログラム形成層２４は、好ましくは紫外線硬化性または電子線硬化性樹脂から厚み約１〜１０μｍ程度に形成し、ホログラムの凹凸形状（回折格子）を、原版を用いてエンボスなどで表面に形成し、その後に完全硬化させる。ホログラム効果層２５は、アルミニウムの蒸着、金属酸化物や金属硫化物などのスパッタリングや蒸着などにより厚み約１００〜２，０００Å（＝１０〜２００ｎｍ）程度に形成する。
【００２６】
上記ホログラム転写箔２０に用いる接着層２６としては、ポリイソシアネート、ポリオールおよび触媒を使用直前に混合して使用する２液硬化型のウレタン系接着剤やエポキシ系接着剤などの２液硬化型接着剤の使用が望ましい。ウレタン系などの２液硬化型の接着層２６を用いる場合には、使用直前に決められた処方に従ってＡ液、Ｂ液および触媒を混合して厚み約３〜８μｍ（固形分）程度に接着層６を形成し、所定時間内にホログラム転写箔２０からラミネーターを用いて被着体１１にラミネートしてホログラム層２を転写する。なお、基材フィルム２１は、転写後剥離される。
【００２７】
図３は、第１実施形態のホログラム構造体１の一例を示す図である。
【００２８】
第１実施形態のホログラム構造体１は、被着体１１の表面に印刷層３を形成し、その上にホログラム層２を形成する。したがって、表面からの層の順は、ホログラム層２、印刷層３、被着体１１となる。ホログラム層２の厚さｔ２は、０．５μｍ≦ｔ２≦２５μｍが好ましい。また、印刷層３の厚さｔ３は、１μｍ≦ｔ３≦５μｍが好ましい。
【００２９】
第１実施形態のホログラム構造体１を、図１に示したようにコピー機等で複製した場合、撮像部３０の焦点が印刷層３に合うと、撮像部３０の被写界深度内にホログラム層２が配置されているので、ホログラム層２と印刷層３の両方を複製することが可能となる。
【００３０】
図４は、第２実施形態のホログラム構造体１の一例を示す図である。
【００３１】
第２実施形態のホログラム構造体１は、被着体１１の表面にホログラム層２を形成し、その上に印刷層３を形成する。したがって、表面からの層の順は、印刷層３、ホログラム層２、被着体１１となる。ホログラム層２の厚さｔ２は０．５μｍ≦ｔ２≦２５μｍが好ましい。また、印刷層３の厚さｔ３は、１μｍ≦ｔ３≦５μｍが好ましい。
【００３２】
第２実施形態のホログラム構造体１を、図１に示したようにコピー機等で複製した場合、撮像部３０の焦点が印刷層３に合うと、撮像部３０の被写界深度内にホログラム層２が配置されているので、ホログラム層２と印刷層３の両方を複製することが可能となる。
【００３３】
図５は、第３実施形態のホログラム構造体１の一例を示す図である。
【００３４】
第３実施形態のホログラム構造体１は、被着体１１の表面に印刷層として、感熱発色層４を形成し、その上にホログラム層２を形成する。したがって、表面からの層の順は、ホログラム層２、感熱発色層４、被着体１１となる。
ホログラム層２の厚さｔ２は０．５μｍ≦ｔ２≦２５μｍが好ましい。
また、感熱発色層４の厚さｔ４は、１μｍ≦ｔ４≦５μｍが好ましい。
【００３５】
第１実施形態のホログラム構造体１を、図１に示したようにコピー機等で複製した場合、撮像部３０の焦点が感熱発色層４に合うと、撮像部３０の被写界深度内にホログラム層２が配置されているので、ホログラム層２と感熱発色層４の両方を複製することが可能となる。
【００３６】
図６は、第４実施形態のホログラム構造体１の一例を示す図である。
【００３７】
第４実施形態のホログラム構造体１は、被着体１１の表面に印刷層３を形成し、その上に透明なカバー層５を形成し、その上にホログラム層２を形成する。したがって、表面からの層の順は、ホログラム層２、カバー層５、印刷層３、被着体１１となる。
ホログラム層２の厚さｔ２は０．５μｍ≦ｔ２≦２５μｍが好ましい。
また、印刷層３の厚さｔ３は、１μｍ≦ｔ３≦５μｍが好ましい。
さらに、カバー層５の厚さは、５０μｍ以下が好ましい。
【００３８】
第４実施形態のホログラム構造体１を、図１に示したようにコピー機等で複製した場合、撮像部３０の焦点が印刷層３に合うと、撮像部３０の被写界深度内にホログラム層２が配置されているので、ホログラム層２と印刷層３の両方を複製することが可能となる。また、ホログラム層２及び印刷層３を的確に保持することが可能となる。
【００３９】
次に、印刷層３の分布について説明する。
【００４０】
図７は、本実施形態のホログラム構造体１の印刷層３の一例を示す。
【００４１】
本実施形態の印刷層３は、ホログラム構造体１の全面を印刷する必要はない。例えば、図７に示すように、印刷層３の絵柄の面積が全体の１５％以上となる連続地紋であればよい。このように、印刷層３の絵柄の面積が全体の１５％以上となる連続地紋であれば、複写機の焦点を印刷層３にあわせることが可能となる。
【００４２】
図８は、本実施形態のホログラム構造体１の印刷層３の他の例を示す。
【００４３】
本実施形態の他の例は、ホログラム構造体１の端縁に印刷層３を形成したものである。このように印刷層３を形成することで、複写機の走査方向が縦、横、又は斜めのいずれであっても印刷層３に焦点をあわせることが可能となる。なお、ホログラム構造体１の端縁全てに印刷層３を形成する必要はなく、少なくとも向かい合う辺のどちらか一つに形成すればよい。例えば、隣り合う端縁に沿ってＬ字状に形成してもよい。
【００４４】
なお、印刷層３は、プリンタ等によって印刷したもの、自筆のもの、感熱発色したもの等のいずれでもよい。
【００４５】
このように、本実施形態のホログラム構造体１は、少なくとも絵柄及び文字のいずれかが再生されるホログラム層２と、少なくとも絵柄及び文字のいずれかが形成された印刷層３と、を有し、印刷層３とホログラム層２は、隣接して形成されるので、デザイン性に優れ、複写機等によって複製できることで、真正であることを判定することが可能となる。
【００４６】
また、本発明にかかるホログラム構造体１では、
ホログラム層２の厚さｔ２は、０．５μｍ≦ｔ２≦２５μｍであり、
印刷層３の厚さｔ３は、１μｍ≦ｔ３≦５μｍであるので、
撮像部３０の焦点が印刷層３にあうと、撮像部３０の被写界深度内にホログラム層２が配置されているので、ホログラム層２と印刷層３の両方を複製することが可能となる。
【００４７】
また、本発明にかかるホログラム構造体１では、ホログラム層２と印刷層３の間の距離は、５０μｍ以下であるので、撮像部３０の焦点が印刷層３にあうと、一般の複写機の撮像部３０の被写界深度内にホログラム層２が配置されることとなり、ホログラム層２と印刷層３の両方を複製することが可能となる。
【００４８】
また、本発明にかかるホログラム構造体１は、ホログラム層２と印刷層３の間に透明なカバー層５を有するので、ホログラム層２及び印刷層３を的確に保持することが可能となる。
【００４９】
また、本発明にかかるホログラム構造体１では、印刷層３は、絵柄の面積が全体の
１５％以上となる連続地紋であるので、複写機の焦点を容易に印刷層３にあわせることが可能となる。
【００５０】
また、本発明にかかるホログラム構造体１では、印刷層３は、少なくとも向かい合う辺のどちらか一つの端縁に形成されるので、複写機の走査方向が縦、横、又は斜めのいずれであっても印刷層３に焦点をあわせることが可能となる。
【００５１】
また、本発明にかかるセキュリティ媒体１０は、前記ホログラム構造体１と、ホログラム構造体１を接着する被着体１１と、を備えるので、デザイン性に優れ、複写機等によって複製できることで、真正であることを判定することが可能となる。
【００５２】
以上、ホログラム構造体及びセキュリティ媒体をいくつかの実施例に基づいて説明してきたが、本発明はこれら実施例に限定されず種々の組み合わせ又は変形が可能である。
【符号の説明】
【００５３】
１…ホログラム構造体
２…ホログラム層
３…印刷層
４…感熱発色層
５…カバー層
１０…セキュリティ媒体
１１…被着体
１２…複製品
３０…撮像部
【図１】
2018165058.tif 000003
【図２】
2018165058.tif 000004
【図３】
2018165058.tif 000005
【図４】
2018165058.tif 000006
【図５】
2018165058.tif 000007
【図６】
2018165058.tif 000008
【図７】
2018165058.tif 000009
【図８】
2018165058.tif 000010
【図９】
2018165058.tif 000011
【図１０】
2018165058.tif 000012